(57)【要約】【課題】異なる撮影装置から取得した複数の医用画像を混在させて表示順序を並び替えることができる医用画像処理装置及びプログラムを提供すること。【解決手段】複数の異なる撮影装置により生成される複数の医用画像を取得し、取得した複数の医用画像を検像することによって、表示画面上における医用画像の表示順序を並び替える医用画像処理装置４０において、撮影部位、撮影方向及び撮影条件を示す所定のコードと表示順序とが予め対応付けられているマスタテーブルＴ１を記憶する記憶部４５と、マスタテーブルＴ１及び取得した複数の医用画像の付帯情報に基づいて、取得した複数の医用画像の表示順序を並び替える制御部４１と、を備える医用画像処理装置４０とする。【選択図】図１
2010099157.tif 000002
【特許請求の範囲】
【請求項１】
複数の異なる撮影装置により生成される複数の医用画像を取得し、当該取得した複数の医用画像を検像することによって、表示画面上における前記複数の医用画像の表示順序を並び替える医用画像処理装置において、
撮影部位、撮影方向及び撮影条件を示す所定の情報と表示順序とが予め対応付けられているテーブルを記憶する記憶部と、
前記テーブル及び前記取得した複数の医用画像の付帯情報に基づいて、前記取得した複数の医用画像の表示順序を並び替える制御部と、
を備える医用画像処理装置。
【請求項２】
前記テーブルの撮影部位、撮影方向及び撮影条件を示す所定の情報は、ＲＩＳ情報又は条件キー番号であり、
前記制御部は、前記医用画像の付帯情報に含まれる前記ＲＩＳ情報又は条件キー番号を抽出し、前記テーブル及び前記抽出したＲＩＳ情報又は条件キー番号に基づいて、前記取得した複数の医用画像の表示順序を並び替える請求項１に記載の医用画像処理装置。
【請求項３】
前記記憶部は、互いに異なる２以上の前記テーブルを記憶し、
前記制御部は、互いに異なる２以上の前記テーブルのうち、何れか一のテーブルを決定し、当該決定したテーブル及び前記医用画像の付帯情報に基づいて、前記取得した複数の医用画像の表示順序を並び替える請求項１又は２に記載の医用画像処理装置。
【請求項４】
前記テーブルにおいて前記所定の情報に予め対応付けられている表示順序を変更するための入力部と、
を更に備える請求項１〜３の何れか一項に記載の医用画像処理装置。
【請求項５】
複数の異なる撮影装置により生成される複数の医用画像を取得し、当該取得した複数の医用画像を検像することによって、表示画面上における前記複数の医用画像の表示順序を並び替えるプログラムにおいて、
コンピュータを、
撮影部位、撮影方向及び撮影条件を示す所定の情報と表示順序とが予め対応付けられているテーブルを記憶する記憶手段、
前記テーブル及び前記取得した複数の医用画像の付帯情報に基づいて、前記取得した複数の医用画像の表示順序を並び替える制御手段、
として機能させるプログラム。
【発明の詳細な説明】
【技術分野】
【０００１】
本発明は、医用画像処理装置及びプログラムに関する。
【背景技術】
【０００２】
医療現場では、複数の撮影装置によって複数の医用画像が生成され、生成された医用画像は読影医の画像診断等に供される。
ここで、撮影装置により生成された医用画像については、読影医の画像診断に供される前に「検像」が行われるのが医用画像の処理フローにおける一般的な流れである。検像とは、生成された医用画像について、読影用又は保管用として適性であるか否かを検査すること、又は適正でない場合には適正な内容に修正することをいう。検像によって、読影医の負担を軽減することができ、誤診防止を図ることができる。
【０００３】
検像に含まれる処理のうち、医用画像の表示順序を並び替える処理がある。通常、複数の医用画像を一度にビューアやフィルム等に表示する場合、表示順序は撮影順である。撮影順序が画像診断し難い場合、検像によって画像診断し易い表示順序に予め並び替えがなされることになる。
【０００４】
特許文献１によれば、一連の画像を表示する際に、画像のグループ分け又は画像の順番を自動的に変更し、一定の態様で画像を表示する技術が開示されている（特許文献１参照）。
また、特許文献２によれば、現在、過去、経時差分画像等の互いに関連する画像をユーザの好みに応じた順序に並び替えて表示する技術が開示されている（特許文献２参照）。
【特許文献１】特開２００４−３３７３４７号公報
【特許文献２】特開２００５−５６０６５号公報
【発明の開示】
【発明が解決しようとする課題】
【０００５】
しかし、特許文献１及び特許文献２の技術では、異なる撮影装置から取得した複数の医用画像を混在させて表示順序を並び替えることはできない。
例えば、ある一のＣＲ（Computed Radiography）装置から取得した医用画像（以下、ＣＲ画像）とＦＰＤ（Flat Panel Detector）装置から取得した医用画像（以下、ＦＰＤ画像）とを混在させて表示順序を並び替えることはできない。ある一のＣＲ装置から取得した医用画像と他のＣＲ装置から取得した医用画像とについても同様である。あくまでＣＲ画像同士、又はＦＰＤ画像同士であり、かつ同一機種によって生成された医用画像の表示順序が並び替えられるにすぎない。
【０００６】
本発明の課題は、異なる撮影装置から取得した複数の医用画像を混在させて表示順序を並び替えることができる医用画像処理装置及びプログラムを提供することにある。
【課題を解決するための手段】
【０００７】
本発明によれば、
複数の異なる撮影装置によって撮影された複数の医用画像を取得し、当該取得した複数の医用画像を表示画面上に表示して検像する医用画像処理装置において、
撮影部位、撮影方向及び撮影条件に基づいて表示順序が予め定められたテーブルを記憶する記憶部と、
前記テーブル及び前記医用画像の付帯情報に基づいて、前記取得した複数の医用画像の表示順序を決定し、当該決定した表示順序により前記医用画像を前記表示画面上に表示する制御部と、
を備える医用画像処理装置が提供される。
【発明の効果】
【０００８】
本発明によれば、異なる撮影装置によって撮影された複数の医用画像を表示画面上に表示する場合、撮影装置の機種や種類に拘らず表示順序を並び替えることができる。よって、異なる撮影装置により生成された医用画像同士であっても互いに表示順序を並び替えることができ、画像診断時の効率化を図ることができる。
【発明を実施するための最良の形態】
【０００９】
以下、本発明を実施するための最良の形態について、図面を用いて詳細に説明する。
まず、図１に、全体構成として画像表示システム１００を示す。
画像表示システム１００は、ＲＩＳ１０、モダリティ２０、モダリティ３０、医用画像処理装置４０、ＰＡＣＳ５０、ビューア６０等を備えて構成される。なお、画像表示システム１００は、医用画像のやりとりにＤＩＣＯＭ（Digital Imaging and COmmunication in Medicine）規格を用いる。
【００１０】
ＲＩＳ１０は、「Radiology Information System」の略であり、放射線科内の情報を管理する放射線科情報システムである。ＲＩＳ１０は、オペレータによるオーダ情報の入力を受け付けてオーダ情報を登録する。オーダ情報には、主として患者情報及び検査情報が含まれる。患者情報とは、患者名、患者ＩＤ等の患者を特定するための情報である。また、検査情報とは、撮影部位、撮影方向及び撮影方法等の検査に関する情報であり、具体的には「撮影部位：胸部、撮影方向：正面Ａ−Ｐ、撮影方法：呼気」等の情報である。
ＲＩＳ１０は、登録したオータ情報をモダリティ２０又はモダリティ３０における何れかの撮影装置（例えば、ＣＲ装置２１）に送信するとともに、医用画像処理装置４０に送信する。
【００１１】
モダリティ２０は、患者を透過した透過Ｘ線を取得して医用画像を生成する撮影装置であって、例えばＣＲ（Computed Radiography）装置２１〜ＣＲ装置２４及びＦＰＤ（Flat Panel Detector）装置２５、ＦＰＤ装置２６等がある。
【００１２】
ＣＲ装置２１は立位型、ＣＲ装置２２は臥位型、ＣＲ装置２３及びＣＲ装置２４はカセッテ型のＸ線撮影装置であり、これらの撮影装置は撮影目的等に応じて使い分けられる。ＣＲ装置２１〜ＣＲ装置２４は、何れも輝尽性蛍光体を用いてアナログの医用画像データを取得し、取得したアナログの医用画像データをデジタルの医用画像データに変換する点で共通する。
【００１３】
ＦＰＤ装置２５、２６は、立位型及び臥位型のＸ線撮影装置である。ＦＰＤ装置２５、２６は輝尽性蛍光体を用いず、Ｘ線検出器によりデジタルの医用画像データを直接取得する点で共通する。
【００１４】
モダリティ２０によって生成される医用画像は、透過Ｘ線により生成されるものであるため何れも視覚的に同様の医用画像である。しかし、画像表示システム１００の運用では、互いに異なる撮影装置から生成された医用画像であるため異なる医用画像として取り扱う。
【００１５】
また、モダリティ２０によって生成される医用画像は、患者の画像情報の他に付帯情報を含む。付帯情報は、オーダ情報の一部の情報であって、例えば撮影部位、撮影方向及び撮影方法の情報である。
モダリティ２０は、生成した医用画像を医用画像処理装置４０に送信する。
【００１６】
モダリティ３０は、モダリティ２０と異なる撮影手法によって医用画像を生成する撮影装置であって、例えばＣＴ（Computed Tomography）装置３１、ＭＲ（Magnetic Resonance）装置３２、ＵＳ（Ultra Sound）装置３３等がある。
モダリティ３０は、モダリティ２０と同様、生成した医用画像を医用画像処理装置４０に送信する。
【００１７】
医用画像処理装置４０は、ＲＩＳ１０から送信されたオーダ情報を受信するとともに、モダリティ２０又はモダリティ３０によって生成された医用画像を受信する。そして、医用画像処理装置４０は、受信した医用画像について、読影用又は保管用として適性であるか否かを検査し、適正でない場合には適正な内容に修正する処理（以下、検像）を行う。なお、本実施形態では、検像に含まれる処理のうち、特に医用画像の表示順序を並び替える処理について説明する。
【００１８】
図２に、医用画像処理装置４０の内部構成を示す。
医用画像処理装置４０は、制御部４１、入力部４２、表示部４３、通信部４４、記憶部４５等を備えて構成されており、各部はバス４６により接続されている。
【００１９】
制御部４１は、図示しないＣＰＵ（Central Processing Unit）、ＲＡＭ（Random Access Memory）等を備えて構成される。制御部４１は、記憶部４５に記憶されているシステムプログラムや処理プログラム等の各種プログラムを読み出してＲＡＭに展開し、読み出した各種プログラムとの協働により処理動作を統括的に制御する。
【００２０】
入力部４２は、カーソルキー、数字入力キー、及び各種機能キー等を備えたキーボードと、マウス等のポインティングデバイスを備えて構成される。入力部４２は、キーボードで押下操作されたキーの押下信号とマウスによる操作信号とを入力信号として制御部４１に出力する。
【００２１】
表示部４３は、例えば、ＣＲＴ（Cathode Ray Tube）やＬＣＤ（Liquid Crystal Display）等のモニタを備えて構成される。表示部４３は、制御部４１から入力される表示信号の指示に従って、各種画面を表示する。
【００２２】
通信部４４は、ネットワークインターフェース等により構成される。通信部４４は、図示しない通信ネットワークに接続された外部機器との間でデータの送受信を行い、オーダ情報及び医用画像を受信する。また、通信部４４は、検像済みの医用画像をＰＡＣＳ５０又はビューア６０に送信する。
【００２３】
記憶部４５は、ＨＤＤ（Hard Disc Drive）や半導体の不揮発性メモリ等により構成される。記憶部４５は、制御部４１により実行されるシステムプログラムを始めとする各種プログラムを記憶し、各種プログラムにより処理されたデータ等を記憶する。
また、記憶部４５は、医用画像を表示する表示順序が予め定められたマスタテーブルを記憶する。
【００２４】
図３に、マスタテーブルＴ１を示す。
マスタテーブルＴ１は、撮影方向及び撮影部位ごとに表示順序が予め定められたテーブルである。具体的には、マスタテーブルＴ１において、表示順序とＲＩＳコード／条件キー番号とが対応付けられている。ＲＩＳコード／条件キー番号は、撮影方向及び撮影部位を示す情報であり、医用画像のヘッダ等に付帯する付帯情報である。ＲＩＳコードは、１６桁の番号であって、例えばＦＰＤ装置２５、ＦＰＤ装置２６によって生成された医用画像の付帯情報である。
また、条件キー番号は１８桁の番号であって、例えばＣＲ装置２１〜ＣＲ装置２４によって生成された医用画像の付帯情報である。表示順序をＲＩＳコードに対応付けるか、或いは条件キー番号に対応付けるかは撮影装置によって異なる。何れであっても、表示順序を撮影方向及び撮影部位を示す情報に対応付けることができればよい。
【００２５】
マスタテーブルＴ１は、撮影装置の機種別に表示順序が予め定められた複数のサブテーブルに基づいて作成される。例えば、ＣＲ装置２１とＣＲ装置２２とが同一機種（〇△社製）であれば、サブテーブルは１つであり、異なる機種（〇△社製と△□社製）であればサブテーブルは２つである。これらをマスタテーブルＴ１に登録することにより、図３に示すマスタテーブルＴ１が作成される。
【００２６】
図４に、マスタテーブルＴ１への登録処理を示す。
制御部４１は、撮影装置の機種ごとに、ＲＩＳコード又は条件キー番号を取得する（ステップＳ１）。例えば、ＣＲ装置２１によって生成される「胸部正面Ｐ−Ａ」の医用画像の条件キー番号や「胸部側面Ｒ−Ｌ」の医用画像の条件キー番号を取得する。
【００２７】
制御部４１は、取得したＲＩＳコード又は条件キー番号が同一撮影装置の同一機種によるものであるか否か判断する（ステップＳ２）。
同一撮影装置の同一機種でない場合（ステップＳ２；Ｎ）、制御部４１は、登録処理を終了する。
同一撮影装置の同一機種である場合（ステップＳ２；Ｙ）、制御部４１は、取得したＲＩＳコード又は条件キー番号からサブテーブルを作成し、作成したサブテーブルをマスタテーブルＴ１に登録することにより（ステップＳ３）、登録処理を終了する。
【００２８】
図５に、マスタテーブルＴ１の編集処理を示す。
制御部４１は、撮影装置別にソートする指示があるか否か判断する（ステップＳ１１）。「撮影装置別にソートする」とは、ＣＲ装置２１〜ＣＲ装置２４を一のグループ、ＦＰＤ装置２５、ＦＰＤ装置２６を一のグループとしてソートすることである。
【００２９】
撮影装置別にソートする指示がある場合（ステップＳ１１；Ｙ）、制御部４１は、マスタテーブルＴ１に登録されているＲＩＳコード又は条件キー番号を撮影装置別にソートする（ステップＳ１２）。
撮影装置別にソートする指示がない場合（ステップＳ１１：Ｎ）、制御部４１は、ステップＳ１３に移行する。
【００３０】
制御部４１は、撮影方向別にソートする指示があるか否か判断する（ステップＳ１３）。「撮影方向別にソートする」とは、ＣＲ装置又はＦＰＤ装置の何れで撮影されたか否かに拘らず、例えば胸部正面Ｐ−Ａの医用画像を一のグループ、胸部側面Ｒ−Ｌの医用画像を一のグループとしてソートすることである。
【００３１】
撮影方向別にソートする指示がある場合（ステップＳ１３；Ｙ）、制御部４１は、マスタテーブルＴ１に登録されているＲＩＳコード又は条件キー番号を撮影方向別にソートする（ステップＳ１４）。
撮影方向別にソートする指示がない場合（ステップＳ１３；Ｎ）、制御部４１は、ステップＳ１５に移行する。
【００３２】
制御部４１は、撮影部位別にソートする指示があるか否か判断する（ステップＳ１５）。「撮影部位別にソートする」とは、例えば胸部正面Ｐ−Ａ及び胸部正面Ａ−Ｐの医用画像を一のグループ、胸部側面Ｒ−Ｌ及び胸部側面Ｌ−Ｒの医用画像を一のグループとしてソートすることである。
【００３３】
撮影部位別にソートする指示がある場合（ステップＳ１５；Ｙ）、制御部４１は、マスタテーブルＴ１に登録されているＲＩＳコード又は条件キー番号を撮影部位別にソートする（ステップＳ１６）。
撮影部位別にソートする指示がない場合（ステップＳ１５；Ｎ）、制御部４１は、ステップＳ１７に移行する。
【００３４】
制御部４１は、入力部４２を介して、マスタテーブルＴ１に登録されているＲＩＳコード又は条件キー番号の表示順序を並び替える指示があるか否か判断する（ステップＳ１７）。
並び替える指示がある場合（ステップＳ１７；Ｙ）、制御部４１は、指示に従って表示順序を並び替え（ステップＳ１８）、マスタテーブル編集処理を終了する。
並び替える指示がない場合（ステップＳ１７；Ｎ）、制御部４１は、マスタテーブル編集処理を終了する。
【００３５】
図６に、編集処理済みのマスタテーブルＴ１の一例を示す。
マスタテーブルＴ１では、撮影方向別及び撮影部位別にソートを行った場合（左側）と撮影装置別、撮影方向別及び撮影部位別にソートを行った場合（右側）とで、登録するＲＩＳコード又は条件キー番号の順序が並び替えられる。
また、マスタテーブルＴ１の編集処理（図５参照）によって、登録されているＲＩＳコード又は条件キー番号の順序は逐次並び替えられる。
【００３６】
図１に戻り、ＰＡＣＳ（Picture Archiving and Communication System for medical application）５０は、図示しないデータベースを有しており、医用画像をデータベースに保管する。
ビューア６０は、医用画像を表示する表示部等を備える。ビューア６０は、読影等の画像診断をするために設置されるＰＣ（Personal Computer）等の端末装置である。
【００３７】
図７を参照して、医用画像の生成から保管までの一連の処理について説明する。
ＲＩＳ１０は、オーダ情報を登録し（ステップＳ２１）、登録したオーダ情報をモダリティ２０に送信する（ステップＳ２２）。また、ＲＩＳ１０は、登録したオーダ情報を医用画像処理装置４０にも送信する（ステップＳ２３）。なお、登録したオーダ情報には、撮影部位及び撮影方法を示す情報が含まれる。具体的には、ＲＩＳコード及び条件キー番号が含まれる。
【００３８】
モダリティ２０は、オーダ情報に基づいて、患者を撮影して医用画像を生成する（ステップＳ２４）。生成された医用画像のヘッダ部には、オーダ情報の一部が付帯情報として付帯されている。付帯されるオーダ情報の一部には、ＲＩＳコード及び条件キー番号が含まれる。
【００３９】
モダリティ２０は、医用画像を医用画像処理装置４０に送信する（ステップＳ２５）。
ここで、モダリティ２０は、複数の異なる撮影装置（例えば、ＣＲ装置２１、ＣＲ装置２２、ＦＰＤ装置２５等）よって複数の異なる医用画像を生成し、これら複数の異なる医用画像を医用画像処理装置４０に送信する場合がある。
【００４０】
医用画像処理装置４０が複数の異なる医用画像を表示画面上に表示する場合、通常表示順序は撮影順となる。しかし、撮影される順序は必ずしも画像診断に適した順序であるとは限らない。そこで、医用画像処理装置４０によって、画像診断に適した順序に並び替える処理が行われる。
【００４１】
医用画像処理装置４０は、医用画像を取得して表示順序の並び替えを行う（ステップＳ２６）。
【００４２】
図８に、表示順序の並び替えの処理を示す。
制御部４１は、複数の医用画像を受信すると（ステップＳ３１）、受信した複数の医用画像は同一検査の同一シリーズによるものであるか否か判断する（ステップＳ３２）。
なお、判断に際して、制御部４１は医用画像の付帯情報を参照する。
【００４３】
同一検査の同一シリーズによるものでない場合（ステップＳ３２；Ｎ）、制御部４１は、受信した複数の医用画像は表示順序の並び替えの対象ではないものと判断し、本処理を終了する。
【００４４】
同一検査の同一シリーズによるものである場合（ステップＳ３２；Ｙ）、制御部４１は、受信した医用画像からＲＩＳコード又は条件キー番号の何れかを抽出する（ステップＳ３３）。本実施形態によれば、制御部４１は、ＣＲ装置２１〜ＣＲ装置２４により受信した医用画像からはＲＩＳコードを抽出し、ＦＰＤ装置２５、ＦＰＤ装置２６により受信した医用画像からは条件キー番号を抽出する。
【００４５】
制御部４１は、抽出したＲＩＳコード又は条件キー番号が記憶部４５により記憶されているテーブルＴに登録されているか否か判断する（ステップＳ３４）。
登録されていない場合（ステップＳ３４；Ｎ）、制御部４１は、受信した複数の医用画像は表示順序の並び替えの対象ではないものと判断し、本処理を終了する。
【００４６】
登録されている場合（ステップＳ３４；Ｙ）、制御部４１は、テーブルＴ及び抽出したＲＩＳコード又は条件キー番号に基づき、受信した複数の医用画像の表示順序を並び替えて、表示順序を決定する（ステップＳ３５）。
【００４７】
制御部４１は、受信した複数の医用画像を決定した表示順序により表示部４３に表示して（ステップＳ３６）、本処理を終了する。
【００４８】
図９に、表示順序並び替え処理の概念図を示す。
表示画面例Ｇ１に示すように、例えばＣＲ装置２１によって撮影された後、ＦＰＤ装置２５によって撮影された場合、これらの撮影装置によって生成された医用画像は通常、撮影順に表示画面上に表示される。図９に示す例では、医用画像は撮影順である胸部正面、右斜位、側面、左斜位の順序で表示画面上に表示される。
【００４９】
図８において説明した表示順序並び替え処理の後、複数の異なる医用画像は表示画面例Ｇ１から表示画面例Ｇ２に並び替えられる。
【００５０】
表示画面例Ｇ２に示すように、マスタテーブルＴ１によって表示順序の並び替えが行われる場合、撮影順や撮影装置等に拘らず、医用画像は常に予め定められた順序によって表示画面上に表示される。図９に示す例では、医用画像は胸部側面、正面、右斜位、左斜位の順序で表示画面上に表示される。
【００５１】
図７に戻り、医用画像処理装置４０は、取得した複数の医用画像について、表示順序の並び替えを行った状態でＰＡＣＳ５０又はビューア６０に送信する（ステップＳ２７）。
ＰＡＣＳ５０は、表示順序が並び替えられた状態で複数の医用画像をデータベースに保管する。また、ビューア６０は、表示順序が並び替えられた状態で複数の医用画像を表示部に表示する（ステップＳ２８）。これにより、医用画像の生成から保管までの一連の処理を終了する。
【００５２】
以上のように、本実施形態によれば、医用画像処理装置４０は、モダリティ２０における複数の異なる撮影装置（ＣＲ装置２１やＦＰＤ装置２５等）によって生成された複数の医用画像を画像診断し易い表示順序に並び替えることができる。よって、読影等の画像診断の効率化を図るとともに、読影に必要な医用画像が把握し易く患者に対して再撮影等の負担を軽減することができる。
【００５３】
また、マスタテーブルＴ１には、生成された医用画像が何れの撮影装置によるものであるか否かは関係なく、ＲＩＳコード又は条件キー番号と表示順序とが対応付けられている。ＲＩＳコード又は条件キー番号は、撮影部位、撮影方向及び撮影方法を示す情報であり、医用画像処理装置４０は、医用画像の付帯情報からＲＩＳコード又は条件キー番号を抽出することができる。つまり、医用画像処理装置４０は、抽出したＲＩＳコード又は条件キー番号とマスタテーブルＴ１とに基づいて、医用画像の表示順序を撮影部位、撮影方向及び撮影方向の順序に並び替えることができる。
【００５４】
また、図３に一例として挙げたマスタテーブルＴ１と異なる表示順序が定められているテーブルを複数記憶することとしてもよく、複数記憶されているマスタテーブルのうち、何れか一のマスタテーブルに基づいて医用画像の表示順序を並び替えるとしてもよい。複数のマスタテーブルを備えることにより、読影医等のユーザ一人一人の要望に合った表示順序で医用画像を表示することができる。
【００５５】
また、入力部４２によって、マスタテーブルＴ１において定められている表示順序を変更して並び替えることができるとしてもよい。表示順序を適宜変更可能とすることにより、ユーザの所望の表示順序によって医用画像を表示することができ、複数のマスタテーブルを備える場合よりも記憶部４５の負担を軽減することができる。
【図面の簡単な説明】
【００５６】
【図１】画像表示システムの全体構成を示す図である。
【図２】医用画像処理装置の機能ブロック図である。
【図３】マスタテーブルの一例を示す図である。
【図４】マスタテーブルへの登録処理を示す図である。
【図５】マスタテーブルの編集処理を示す図である。
【図６】編集処理済のマスタテーブルの一例を示す図である。
【図７】医用画像の生成から保管までの一連の処理を示すフロー図である。
【図８】医用画像の並び替え処理を示すフロー図である。
【図９】医用画像の並び替え処理を示す概念図である。
【符号の説明】
【００５７】
１００      画像表示システム
１０        ＲＩＳ
２０、３０  モダリティ
４０        医用画像処理装置
４１        制御部
４２        入力部
４３        表示部
４４        通信部
４５        記憶部
５０        ＰＡＣＳ
６０        ビューア
【図１】
2010099157.tif 000003
【図２】
2010099157.tif 000004
【図３】
2010099157.tif 000005
【図４】
2010099157.tif 000006
【図５】
2010099157.tif 000007
【図６】
2010099157.tif 000008
【図７】
2010099157.tif 000009
【図８】
2010099157.tif 000010
【図９】
2010099157.tif 000011